(57)【要約】【課題】自動的に換気装置を運転させ、結露やカビの発生を防止する。【解決手段】浴槽と、この浴槽の水位を検知する水位センサーと、浴室に設けられた換気用の換気装置と、台所に表示装置１１を有する台所リモコン５を備え、人が浴槽に入ったことを水位センサーによって検出した時、換気装置が自動的に運転されると共に、その運転状況を表示装置１１に表示するようにしている。【選択図】　図１
2004144383.tif 000002
【特許請求の範囲】
【請求項１】
浴槽と、この浴槽の水位を検知する水位センサーと、浴室に設けられた換気用の換気装置とを備え、前記水位センサーによって前記浴槽に人が入ったことが検知された時、前記換気装置が動作する風呂給湯装置。
【請求項２】
浴槽と、この浴槽の水位を検知する水位センサーと、浴室に設けられた換気用の換気装置とを備え、前記水位センサーによって前記浴槽から人が出たことが検知された後の第１の所定時間Ｔ１が経過すると、前記換気装置が動作する風呂給湯装置。
【請求項３】
換気装置が運転動作してからの第２の所定時間Ｔ２が経過した後に前記換気装置が停止する請求項１または２記載の風呂給湯装置。
【請求項４】
台所に表示装置を有する台所リモコンを備え、人が浴槽に入ったことを水位センサーによって検出した時、換気装置の運転状況を前記表示装置に表示する請求項１、２または３記載の風呂給湯装置。
【請求項５】
換気装置を運転する場合に、人が浴槽に入ったことを検出した時にするか、人が浴槽から出たことが検出された後の第１の所定時間Ｔ１が経過してからにするかを選択する選択スイッチを備えた請求項１〜４のいずれか１項に記載の風呂給湯装置。
【発明の詳細な説明】
【０００１】
【発明の属する技術分野】
本発明は、浴槽に人が入ったことを検出すると、浴室の換気用の換気装置を運転させるようにした風呂給湯装置に関するものである。
【０００２】
【従来の技術】
従来の浴室暖房乾燥機は、入浴が完了すると自動的に浴室の換気と乾燥運転を行うように構成して、最後の入浴者が換気乾燥運転スイッチを押し忘れた際にこれを担保するもので、浴室内に人体センサを設けこのセンサが人体を検知しなくなった場合に、制御回路が自動的に浴室乾燥装置を一定時間運転することにより、カビの発生を防止している（例えば特許文献１参照）。
【０００３】
図８は、従来例で、入浴が終了し浴室３から出る時に、浴室換気用の浴室乾燥運転スイッチ１をＯＮして所定時間換気させることにより、換気装置２を運転させ浴室３を乾燥させるが、押し忘れを防止する為、人体センサとして例えば音センサ４を浴室内に取り付け、この音センサ４で検出された直近の音信号の出力後、一定時間経過しても次の信号が入力されない場合に、自動換気乾燥制御回路は、入浴終了と判断して、一定時間換気又は乾燥又は暖房運転を行うものである。
【０００４】
【特許文献１】
特開２００２−１６８４８８公報（第１図）
【０００５】
【発明が解決しようとする課題】
しかしながら上記のような構成では、浴室内に音センサ等を新規に設ける必要があるうえ、さらに、入浴終了後には浴室の壁面に既に多くの結露が発生していることが多く、必然的に換気する時間は長くなることが多い。
【０００６】
本発明は、前記従来の課題を解決するもので、浴槽内に人が入浴したことを検出すると、自動的に浴室換気用の換気装置を運転するようにして、浴室に結露を発生しにくくし、且つ、カビなど発生させないようにする風呂給湯装置を提供するものである。
【０００７】
【課題を解決するための手段】
本発明は上記課題を解決するために、浴槽の水位を検知して、人が浴槽に入ったことを検出した時、浴室換気用の換気装置を運転するようにしたものである。
【０００８】
本発明によれば、人が入浴することを自動的に検出して浴室用換気装置を運転するので、これまでのようにわざわざ音センサ等を浴室に新規に設けなくても、風呂給湯装置に内蔵され浴槽の水位を検出する水位センサを使用して、任意の時間に浴室の換気を開始出来、カビの発生をより少なくすると共に、高齢者や身体の不自由な人に優しく高齢化社会に対応した風呂給湯装置を提供できる。
【０００９】
【発明の実施の形態】
請求項１に記載の発明は、浴槽の水位を検出して、人が浴槽に入ったことを検出した時、浴室に設けられた換気用の換気装置を動かすようにしたものである。
【００１０】
請求項２に記載の発明は、人が浴槽から出たことを検出した後、第１の所定時間Ｔ１経過した場合に、浴室に設けられた浴室換気装置を動かすようにしたものである。
【００１１】
請求項３に記載の発明は、換気装置が運転動作してからの第２の所定時間Ｔ２経過した後に停止するようにしたものである。
【００１２】
また、請求項４に記載の発明は、人が浴槽に入ったことを検出した時、浴室に設けられた換気用の換気装置を運転させている内容を台所リモコンの表示装置に表示させるようにしたものである。
【００１３】
また、請求項５に記載の発明は、換気装置を運転する場合に、人が浴槽に入ったことを検出した時にするか、人が浴槽から出たことを検出してから所定時間経過してからにするのかを選択する選択スイッチを備えたものである。
【００１４】
【実施例】
以下、本発明の実施例について、図１〜図７を参照しながらを説明する。
【００１５】
（実施例１）
図１は本発明の風呂給湯装置で人が浴槽に入った時、浴室に設けられた換気用の換気装置を動かす実施例を示す。図１において、台所リモコン５及び浴室リモコン６の運転ＳＷ７又は８をＯＮすると、台所リモコン５と浴室リモコン６は風呂給湯装置の状態を表示装置１１および１２に表示する。
【００１６】
また、浴槽へ人が入ったことを、水位センサが検出すると、浴室換気装置１０を運転する。浴槽へ人が入ったことを検出すると換気装置２を動作し、浴室の湯気は換気装置２により排出され、浴室が乾燥し、浴室の壁面に結露が発生しにくくなるので、結果としてカビ発生がしにくくなるものである。
【００１７】
（実施例２）
図２は人が浴槽から出たことを検出した時、第１の所定時間Ｔ１経過した場合に、換気装置２を運転させる説明図である。浴槽に人が入ったことを水位センサが検出した後、浴槽から人が出たことを検出して第１の所定時間Ｔ１経過してから、自動的に浴室の換気装置２を運転させる。所定時間Ｔ１としては、例えば１０分とか３０分経過したら、換気装置２を運転させるものである。入浴中は、静かなところで入浴したいと言う人もいるので、入浴が終了した後、換気装置２を運転させる様にしている。
【００１８】
（実施例３）
図３は換気装置の運転を停止させる説明図である。換気装置２が運転を開始して、第２の所定時間Ｔ２経過してから換気装置２の運転を停止させるものである。所定時間Ｔ２としては、例えば、４５分とか一時間経過した後、運転を停止させるものである。第２の所定時間Ｔ２経過した時には、浴室は乾燥され、カビ等の発生が防止される。
【００１９】
（実施例４）
図４は人が浴槽に入る時の入浴及び浴槽から出る時の検出説明図である。沸きあがり後の水位を示す水位センサ出力をＶ１とする。この時人が入浴すると水位センサの出力はＶ２に急激に上昇する。この急激な出力上昇を検出して、人の入浴検出をすることが出来る。
【００２０】
一方、人が浴槽から出ると水位センサの出力はＶ３に低下する。Ｖ３は、沸きあがり後の水位を示すＶ１と同じである。沸き上がり後の水位をＶ１とすると、人が入浴した後の水位Ｖ２で示される。たとえば縦６０ｃｍ、横７０ｃｍ、深さ６０ｃｍの浴槽に設定水位Ｖ１で沸き上がっている所へ体重約６５ｋｇの人が入浴すると、急激に水位は上昇し約１８ｃｍ水位が上昇する。即ちＶ２−Ｖ１＝約１８ｃｍとなることを示している。即ち、人が入浴すると水位センサ出力がＶ１→Ｖ２へ上昇することを示している。
【００２１】
ここで、人が入浴する場合についてさらに詳細に述べる。たとえば、１．６秒毎にマイコンで水位センサの出力を読み取るものとし、１ビット＝２．５ｍｍＨ２０の水位センサ出力と仮定する。ここで人が入浴すると１８ｃｍは７２ビットに相当する。今、４回データを読み取ったとすると、１．６秒×４＝６．４秒かかることになる。即ち、急激な水位変化を判定する判定時間を６．４秒とした時に、たとえば水位上昇が３６ビット＝９ｃｍ以上上昇した時を人の入浴とすれば、水位検出は２倍の安全率誤動作を少なくして検出できる。
【００２２】
一方、人が入浴する時には、水面が乱れるので読み取りデータをそのまま、水位センサの出力として比較すると、水面の乱れがそのまま水位の乱れとなるので、たとえば、データとしては移動平均に置き換えたもので比較するほうが、安定して比較が可能となる。たとえば、１．６秒ごとにデータを読み取るが、４回目のデータは３回分の値に今回の４回目のデータを加えて、４で割ったものを今回の移動平均の水位出力として比較するものである。人が浴槽から出ると水位センサの出力は急激に低下し、水位も約１８ｃｍ低下する。Ｖ３−Ｖ２＝Ｖ１−ｖ２＝約１８ｃｍとなる。
【００２３】
（実施例５）
図５はお湯張り中に人が浴槽に入る時の入浴検出説明図である。又、お湯張り中の水位センサ出力をＶ４とする。この時人が入浴すると水位センサの出力はＶ５に急激に上昇する。この急激な出力上昇を検出して、お湯張り中でも人の入浴を検出することが出来る。お湯張り中または浴槽水位が低下した時に設定水位まで補水する補水中の水位上昇は、浴槽への注湯量を１８Ｌ／分とすると、１分当りの水位上昇は約４ｃｍである。この状態で人が浴槽へ入ると急激な水位上昇が発生する。この急激な水位上昇を検出して　お湯張り中に人が浴槽へ入ることを検出できる。
【００２４】
このことは言いかえれば浴槽水位低下中に人が浴槽から上がれば、同じように急激な水位降下を検出して、排水中でも人が浴槽から上がることを検出することができる。
【００２５】
（実施例６）
図６は人が浴槽に入ったことを検出した時、浴室に設けられた換気用の換気装置を運転させている内容を台所リモコン５や浴室リモコン６の表示装置１１及び１２に表示させる説明図である。
【００２６】
人が浴槽に入ったことを検出した時、浴室３に設けられた換気用換気装置２を運転させている内容を台所リモコン５や浴室リモコン６の表示装置１１および１２に表示させるものであり、また、換気装置２が第２の所定時間Ｔ２運転されて換気装置２の運転が停止するまで台所リモコン５や浴室リモコン６に換気装置２が運転されていることを表示させる様にしたものである。
【００２７】
このことによって、浴槽に人がいなくなって所定時間Ｔ１経過後、例えば１０分とか３０分経過した後は、台所等で浴室の換気装置２が運転していることを見ることが出来るので、いちいち換気装置２が運転しているかどうかを、浴室３へ行って確認する必要がない。
【００２８】
（実施例７）
図７は、換気装置２を運転する場合に、人が浴槽に入ったことを検出した時にするか、人が浴槽から出たことを検出してから第１の所定時間Ｔ１経過してからにするかの選択をすることについての説明図である。人が浴槽に入ったことを水位センサが検出した時に浴室３の換気装置２を運転することにより、入浴中に水滴が壁等に付着することを防止しカビ等が発生しにくくすることが出来る。
【００２９】
一方、人が浴槽から出たことを検出して所定時間Ｔ１経過してから浴室換気装置２の運転を行うことも出来る。第１の所定時間Ｔ１経過してから、浴室の換気装置２を運転するので、入浴中は静かに入浴をして、入浴後に浴室換気を行うことが出来る。
【００３０】
【発明の効果】
以上の説明から明らかのように本発明の風呂給湯装置によれば次の効果が得られる。
【００３１】
人が入浴したことを水位センサにより検出して、自動的に浴室換気装置を運転し、カビ等の発生を防止させることが出来、且つ、風呂給湯装置に内蔵の水位センサを使用するので、特別なセンサが無くても換気装置を制御出来る。したがって、人が入浴した時に換気装置を運転させるので、入浴中に湯気が排出されて、浴室壁面の結露が発生しにくくなり、入浴後に換気装置を運転させる場合に比べると、換気装置を運転させる時間を短縮出来るという効果がある。
【００３２】
また、人が浴槽から出たことを検出した後、第１の所定時間Ｔ１経過した場合に、浴室の換気装置を運転させる様に出来るので、入浴中は静かに入浴し、入浴後に自動的に浴室換気装置を運転させて換気をし、カビ等の発生を防止することも出来る。
【００３３】
また、換気装置は運転してから第２の所定時間Ｔ２経過した後は、自動的に停止するものであり、人がいちいち設定しなくても自動的に換気を完了させることが出来る。
【００３４】
更に、人が浴槽に入ったことを検出した時、浴室の換気装置を運転させていることを台所リモコンの表示装置に表示させるので、台所等にいながらにして、換気装置が運転されていることを知ることが出来るので、わざわざ浴室へ行って換気装置が運転されていることを確認する必要がない。
【００３５】
更にまた、換気装置を運転させる場合に、人が浴槽に入った時にするか、人が浴槽から出たことを検出してから第１の所定時間が経過してからにするかを選択出来るので、生活パターンに合わせて、静かに入浴したい人には人が浴槽から出てから換気をさせ、入浴中に換気をさせたい人には入浴中に換気装置を運転させ、より浴室壁面に発生する結露を防止し、よりカビの発生を防止することが出来、換気装置の運転時間も短縮出来る。
【図面の簡単な説明】
【図１】本発明の実施例１の風呂給湯装置における換気装置の動作を説明するフローチャート
【図２】本発明の実施例２の風呂給湯装置における換気装置の動作を説明するフローチャート
【図３】本発明の実施例３の風呂給湯装置における換気装置の動作を説明するフローチャート
【図４】本発明の実施例４の風呂給湯装置における水位センサーの出力と経過時間との関係を説明する特性図
【図５】本発明の実施例５の風呂給湯装置における水位センサーの出力と経過時間との関係を説明する特性図
【図６】本発明の実施例６の風呂給湯装置における水位センサーの出力と経過時間との関係を説明する特性図
【図７】本発明の実施例７の風呂給湯装置における換気装置の動作を説明するフローチャート
【図８】従来の浴室換気の構成図
【符号の説明】
５　台所リモコン
１０　浴槽換気装置
１１　表示装置
１４　第１の所定時間Ｔ１
１５　第２の所定時間Ｔ２
１８　選択スイッチ
【図１】
2004144383.tif 000003
【図２】
2004144383.tif 000004
【図３】
2004144383.tif 000005
【図４】
2004144383.tif 000006
【図５】
2004144383.tif 000007
【図６】
2004144383.tif 000008
【図７】
2004144383.tif 000009
【図８】
2004144383.tif 000010